(57)【要約】  セルラー通信ネットワークにおいて、各時点での基地局（２）のグループに対して固有のテキストメッセージが移動端末（６）にブロードキャストされる。移動端末（６）は、ポジション依存サービスリクエストデータパケットの一部として、少なくともテキストメッセージに基づいて導出されるテキストメッセージあるいはテキストを含んでいる。このデータパケットは、サービスプロバイダ（３０）に送信される。含まれるテキストは、例えば、通信システムあるいはサービスプロバイダ（３０）で、テキストメッセージをブロードキャストする基地局（２）のグループに関連付けられているポジションあるいはロケーションとして解釈される。そして、ポジション依存サービスは、解釈されたポジションあるいはロケーションに基づいて提供される。
2008514109.tif 000002
【特許請求の範囲】
【請求項１】
セルラー通信ネットワーク内の端末に対して、ポジションベースサービスを提供する方法であって、
前記セルラー通信ネットワークの基地局のセットから第１テキストメッセージをブロードキャストする工程と、
前記基地局のセットの内の１つの基地局に接続されている移動端末において、ブロードキャストする時点で前記基地局のセットに対して固有である前記第１テキストメッセージを検出する工程と、
ポジションベースサービスリクエストを備えるデータパケットを生成する工程と、
前記データパケットに、前記第１テキストメッセージに依存する第２テキストメッセージを含める工程と、
前記サービスリクエストをサービスプロバイダへ送信する工程と、
前記第２テキストメッセージを、前記基地局のセットに接続されているポジションと関連付ける工程と、
前記サービスリクエストと前記関連付けられたポジションに基づいて、サービスを提供する工程と
を備えることを特徴とする方法。
【請求項２】
時間依存第１テキストメッセージとして、前記第１テキストメッセージを提供する工程を更に備える
ことを特徴とする請求項１に記載の方法。
【請求項３】
前記第１テキストメッセージを提供する工程は、所定アルゴリズムによって実行される
ことを特徴とする請求項２に記載の方法。
【請求項４】
前記関連付ける工程は、前記サービスプロバイダによって実行され、これによって、前記送信する工程は、前記移動端末から前記サービスプロバイダへ前記データパケットを送信することを含む
ことを特徴とする請求項１乃至３のいずれか１項に記載の方法。
【請求項５】
前記関連付ける工程は、前記セルラー通信システムと前記サービスプロバイダ間のゲートウェイによって実行され、これによって、前記送信する工程は、前記移動端末から前記ゲートウェイへ前記データパケットを送信し、かつ前記前記ゲートウェイから前記サービスプロバイダへ前記サービスリクエストと前記関連付けられたポジションを送信する
ことを特徴とする請求項１乃至３のいずれか１項に記載の方法。
【請求項６】
前記セルラー通信システムから、前記関連づける工程を実行するノードへ関連付けデータを提供する工程を更に備え、これによって、前記関連付ける工程は、前記関連付けデータを利用する
ことを特徴とする請求項４または５に記載の方法。
【請求項７】
請求項３に従属する場合に、前記セルラー通信システムから、前記関連付ける工程を実行するノードへ前記所定アルゴリズムを提供する工程を更に備え、これによって、前記関連付ける工程は、該所定アルゴリズムを利用して関連付けデータを提供する
ことを特徴とする請求項４または５に記載の方法。
【請求項８】
前記基地局のセットは、１つの基地局だけを備える
ことを特徴とする請求項１乃至７のいずれか１項に記載の方法。
【請求項９】
前記第２テキストメッセージは、前記第１テキストメッセージと同一である
ことを特徴とする請求項１乃至８のいずれか１項に記載の方法。
【請求項１０】
前記第２テキストメッセージは、前記第１テキストメッセージを処理することによって生成される
ことを特徴とする請求項１乃至８のいずれか１項に記載の方法。
【請求項１１】
前記処理は、更に、前記移動端末あるいはそのユーザに関連付けられているアイデンティティに依存する
ことを特徴とする請求項１０に記載の方法。
【請求項１２】
前記データパケットは、前記第２テキストメッセージを備えるユニフォームリソースロケータを備える
ことを特徴とする請求項１乃至１１のいずれか１項に記載の方法。
【請求項１３】
前記データパケットを生成する工程は、認可検証として、前記第１テキストメッセージあるいはその一部を使用するアプリケーションソフトウェアを実行する工程を含む
ことを特徴とする請求項１乃至１２のいずれか１項に記載の方法。
【請求項１４】
前記サービスを提供する工程は、符号化されたデータをダウンロードし、前記第１テキストメッセージあるいはその一部に基づいて前記符号化されたデータを復号することを含む
ことを特徴とする請求項１乃至１３のいずれか１項に記載の方法。
【請求項１５】
セルラー通信ネットワークにおける端末に対してポジションベースサービスを提供するシステムであって、
第１テキストメッセージをブロードキャストすることができる送信機を有する基地局のセットと、
前記基地局のセットの内の１つの基地局に接続され、ブロードキャスト時点には前記基地局のセットに対して固有である前記第１テキストメッセージを検出することができる受信機を備える移動端末と、
ポジションベースサービス用のサービスプロバイダノードとを備え、
前記移動端末は、更に、
ポジションベースサービスリクエストを備えるデータパケットを生成するように構成されていて、かつ前記受信機に接続され、前記第１テキストメッセージに依存する第２テキストメッセージを前記データパケットに含めることができるプロセッサと、
前記セルラー通信ネットワークを介して、前記サービスプロバイダへ前記サービスリクエストを送信することができる送信機と、
前記システムは、更に、
前記第２テキストメッセージを、前記基地局のセットに関係するポジションに関連付ける手段を備え、
これによって、前記サービスプロバイダは、前記サービスリクエストと前記関連付けられたポジションに基づいて、サービスを提供するように構成される
ことを特徴とするシステム。
【請求項１６】
時間依存第１テキストメッセージを提供する手段を更に備える
ことを特徴とする請求項１５に記載のシステム。
【請求項１７】
前記時間依存第１テキストメッセージを提供する手段は、所定アルゴリズムを利用する
ことを特徴とする請求項１６に記載のシステム。
【請求項１８】
前記関連付ける手段は、前記サービスプロバイダに備えられている
ことを特徴とする請求項１５乃至１７のいずれか１項に記載のシステム。
【請求項１９】
前記関連付ける手段は、前記セルラー通信システムと前記サービスプロバイダ間のゲートウェイに備えられていて、前記関連付けられたポジションを前記サービスリクエストとともに、前記サービスプロバイダへ転送するように構成されている
ことを特徴とする請求項１５乃至１７のいずれか１項に記載のシステム。
【請求項２０】
前記セルラー通信システムから前記関連付ける手段へ関連付けデータを提供する通信手段を更に備える
ことを特徴とする請求項１８または１９に記載のシステム。
【請求項２１】
前記セルラー通信システムから前記関連付ける手段へ前記所定アルゴリズムを提供する通信手段を更に備える
ことを特徴とする請求項１８または１９に記載のシステム。
【請求項２２】
前記基地局のセットは、１つだけの基地局を備える
ことを特徴とする請求項１５乃至２１のいずれか１項に記載のシステム。
【請求項２３】
前記第２テキストメッセージは、前記第１テキストメッセージと同一である
ことを特徴とする請求項１５乃至２１のいずれか１項に記載のシステム。
【請求項２４】
前記第２テキストメッセージは、前記第１テキストメッセージを処理することによって生成される
ことを特徴とする請求項１５乃至２２のいずれか１項に記載のシステム。
【請求項２５】
前記第１テキストメッセージの処理は、更に、前記移動端末あるいはそのユーザに関連付けられているアイデンティティに依存する
ことを特徴とする請求項２４に記載のシステム。
【請求項２６】
前記データパケットは、前記第２テキストメッセージを備えるユニフォームリソースロケータを備える
ことを特徴とする請求項１５乃至２５のいずれか１項に記載のシステム。
【請求項２７】
通信システムにおけるノードであって、
第２テキストメッセージを備える第１データパケットの受信機と、
前記第２テキストメッセージと、該第２テキストメッセージが依存する第１テキストメッセージをブロードキャストする基地局のセットに関係するポジションとを関連付ける手段と、
前記関連付けられたポジションを備える第２データパケットの送信機と
を備えることを特徴とするノード。
【請求項２８】
前記テキストメッセージの生成に関連付けられているデータの受信機を更に備える
ことを特徴とする請求項２７に記載のノード。
【請求項２９】
ポジションベースサービス用のサービスプロバイダであって、
ポジションベースサービスリクエストを備え、かつテキストメッセージを備えるデータパケットの受信機と、
前記テキストメッセージを、ポジションと関連付ける手段と、
前記サービスリクエストと前記関連付けられたポジションとに基づいて、サービスを提供する手段と
を備えることを特徴とするサービスプロバイダノード。
【請求項３０】
前記テキストメッセージの生成に関連付けられたデータの受信機を更に備える
ことを特徴とする請求項２９に記載のサービスプロバイダノード。
【請求項３１】
セルラー通信ネットワークで使用するための移動端末であって、
接続されている基地局のセットからのブロードキャスト第１テキストメッセージを検出することができる受信機と、
ポジションベースサービスリクエストを備えるデータパケットを生成するように構成されていて、かつ前記受信機に接続され、前記第１テキストメッセージに依存する第２テキストメッセージを前記データパケットに含めることができるプロセッサと、
前記セルラー通信ネットワークを介して、サービスプロバイダへ前記サービスリクエストを送信することができる送信機と
を備えることを特徴とする移動端末。
【請求項３２】
前記第２テキストメッセージは、前記第１テキストメッセージと同一である
ことを特徴とする請求項３１に記載の移動端末。
【請求項３３】
前記第２テキストメッセージは、前記第１テキストメッセージを処理することによって生成される
ことを特徴とする請求項３１に記載の移動端末。
【請求項３４】
前記第１テキストメッセージの処理は、更に、前記移動端末あるいはそのユーザに関連付けられているアイデンティティに依存する
ことを特徴とする請求項３３に記載の移動端末。
【請求項３５】
前記データパケットは、前記第２テキストメッセージを備えるユニフォームリソースロケータを備える
ことを特徴とする請求項３１乃至３４のいずれか１項に記載の移動端末。
【発明の詳細な説明】
【技術分野】
【０００１】
本発明は、一般的には、セルラー通信ネットワークにおけるポジション依存性に関するものであり、より詳しくは、ポジションあるいはロケーションベースのサービスネットワークアーキテクチャに関するものである。
【０００２】
背景
移動体装置のポジションあるいはロケーションを判定するための可能性は、アプリケーションデベロッパー及び無線ネットワークオペレータに、ロケーションベースかつロケーション認識可能（aware）サービスを提供することを可能にしている。これらの例には、案内システム、ショッピング支援、友人検索、及び、これ以外に、ユーザの周辺についての移動体ユーザ情報を与える情報サービスがある。
【０００３】
セルラーネットワークでは、移動端末の位置を示すために様々な方法が使用されている。これらの例には、ＧＰＳ及びＡ−ＧＰＳ、ＥＯＴＤ、ＵＴＯＤＡ及びセル−ＩＤ（ＣＧＩ、ＣＯＯ）がある。これらの方法のすべてにおいて、ＧＰＳの形式以外は、移動電話のポジション（位置）決め（positioning）は、移動体テレフォニーシステム内でのいくつかの信号送受信（シグナリング）の工程と、いくつかのノードの介在を必要とする。
【０００４】
セルラー通信シグナリングに基づくポジション決めは、システムのセルラー特性によって実現可能である。このセルラー特性とは、即ち、ある無線信号の発信源を、明確に定義されている地理的位置に関連付けることができることである。セルラー通信ネットワークに付随する基本概念は、各セルがある基地局によってカバーされるエリアを構成している、セル群の網（グリッド：grid）としてネットワークを構成することである。移動端末と近隣セル内の無線基地局間の通信の干渉を回避するために、移動端末と基地局間の通信は、わずかに異なる構成／設定（例えば、周波数あるいは符号（コード））、即ち、異なる無線リソースを使用する。これらのリソースの数は制限されている。ＧＳＭシステムでは、異なるセルに分けるために使用される周波数の数が制限されていて、一方、ＷＣＤＭＡシステムでは、符号の数が制限されている。無線リソースの数が制限されていることは、ネットワークを慎重に計画することが重要であるということである。
【０００５】
どの基地局に接続されているかを知るために（例えば、呼を実行している、あるいはメッセージを送信／取得している場合）、移動端末は、定期的に、基地局からのブロードキャスト信号を測定している。これらの信号は、移動端末と基地局間での無線状態を測定することが意図されている専用の制御信号である。このブロードキャスト信号は、例えば、その信号を送信する基地局への接続をどのようにして確立するかについての情報を備えている。上述のように、干渉を回避するために、わずかに異なる構成が、異なる基地局によって使用される。
【０００６】
測定される信号についてのタイミング、強度及び品質の少なくともいずれかの情報を集めることによって、基地局に対する移動端末の位置についての結果を導き出すことができる。セルサイズに等しいポジション決め精度を獲得することは比較的容易であるものの、より精度の高いポジション（位置）も計算することができる。このようなポジションは、ポジションあるいはロケーションベースサービスを生成するための入力として使用することができる。
【０００７】
要約
多くの従来のポジションベースサービスの一般的な問題は、ポジション決めが、一般的には、膨大な制御シグナリングを必要とすることである。このような制御シグナリングは、システムの処理能力を比較的多く必要とし、通信及びコンピュータのリソースを占有してしまう。
【０００８】
本発明の一般的な目的は、単純なシグナリング処理で、ロケーションあるいはポジションベースサービスを提供する方法及び装置を提供することである。特定の実施形態についての更なる目的は、このようなポジション決めを提供することであり、ここで、オペレータは、ポジションの提供に対して課金を行い、未認可ユーザがこのようなポジション決め情報を利用することをより難しくさせることが可能となる。
【０００９】
一般的な目的は、請求項に従う方法、装置及びシステムによって達成される。一般的に言えば、各時点で、ある基地局あるいは基地局のグループに対して固有のテキストメッセージが移動端末へブロードキャストされる。この移動端末は、ポジション依存サービスリクエストデータパケットの一部として、テキストメッセージ、あるいは少なくともそのテキストメッセージに基づいて導出されるテキストを含んでいる。このデータパケットは、サービスプロバイダに送信される。それに含まれているテキストは、例えば、通信システムあるいはサービスプロバイダにおいて、テキストメッセージをブロードキャストする基地局のグループに関連付けられたポジションあるいはロケーションとして解釈される。こうして、ポジション依存サービスが、解釈されたポジションあるいはロケーションに基づいて提供される。
【００１０】
特定の実施形態では、未認可のマッピングを回避するために、ブロードキャストテキストメッセージは間欠的に変更される。また、データパケットに含まれるテキストは、オリジナルのテキストメッセージを、そのオリジナルテキストメッセージの全体、あるいはその一部、あるいはそれを処理したもの、例えば、暗号化したものとすることができる。このような符号化は、ＳＩＭアイデンティティのような移動端末のアイデンティティと結び付けられることで、サービスを受信するための認可を確実にする。単一のセルのサイズに対応するポジション決め精度を達成するために、各基地局は、自身の所有するグループを形成する。即ち、各基地局は、固有のテキストメッセージをブロードキャストする。
【００１１】
本発明は、単純化なシグナリング処理で、セルＩＤ（ＣＧＩ、ＣＯＯ）のポジション決め原理を使用するアプリケーション／サービスを構築するために、アプリケーション及びサービスで使用されることが好ましい方法である。本発明の利点は、セルラー通信ネットワークがセルＩＤ  ＬＢＳを提供できることであり、ここで、オペレータは、ポジション決めに対して余計な制御シグナリングを行うことなく、ポジションを提供するための課金を行うことができる。
【００１２】
詳細説明
まず、いくつかの用語の定義を行う。本発明の開示では、移動局（ＭＳ）、移動電話、モバイルフォン、移動端末及びハンドセットの類は、すべてポジション決め対象のデバイスとして参照する。このデバイスは、典型的には、移動電話、ハンドヘルドコンピュータ（ＰＤＡ）、あるいはそれ以外には、セルラー／移動体ネットワーク通信用の無線受信機が搭載されているデバイス／装置である。
【００１３】
用語「ポジション」は、座標あるいは緯度経度（例えば、ＷＧＳ−８４（世界測地系）基準）として与えられる地理的位置を意味することを意図している。これには、方向及び方位（heading）の少なくとも一方、速度、加速度等を含んでいても良い。このポジションは、ある程度の不確定さを常に持っている。ポジションは、相対尺度としても与えられても良い。この方法では、セルアイデンティティは、周辺セルエリアに対応する精度の基地局の位置に等しい。
【００１４】
用語「ロケーション」は、施設あるいは場所のタイプによって定義される（あるいは関連する）より主観的なポジション（位置）である。ロケーションの例には、「軍事エリア／施設」、「病院」、「オフィス」、「映画館」、「最寄非常口」がある。
【００１５】
本発明では、ロケーション及びポジションの両方が、特定のリクエストされたサービスを提供するために使用され得る。
【００１６】
本発明に従うポジション決め方法は、基本的には、セルラー移動体無線システムのポジション決めを対象としている。ＧＳＭは、本開示で提示される実施形態で使用される移動体無線電話規格である。しかしながら、本発明は、ＧＳＭに制限されるべきでなく、これは、本発明が他のセルラー移動無線システム及びそれらに関連する規格にも適用可能であるからである。本発明とともに使用することができる他の無線規格の包括的な例には、ＴＤＭＡ、ＣＤＭＡ、ワイドバンドＣＤＭＡ（ＷＣＤＭＡ）、及び時分割デュープレックス（ＴＤＤ）技術に基づくシステムがある。
【００１７】
図１に示される、セルラーネットワーク１０に付随する基本概念の１つには、セル４Ａ−Ｊの網（グリッド）としてネットワークを構築することである。ここで、各セル４Ａ−Ｊは、１つの無線基地局２Ａ−２Ｊそれぞれによってカバーされるエリアに対応する。通信は、異なる無線リソースを介して発生する。移動電話６と、近隣セルの無線基地局２Ａ−Ｊ間の干渉を回避するために、移動電話６と基地局２Ａ−Ｊ間の通信は異なるリソースを使用する、即ち、わずかに異なる構成あるいは設定、例えば、周波数あるいは符号を使用する。これらのリソースあるいは「構成」の数は制限されている。ＧＳＭシステムでは、リソースは、制限数の許容キャリヤ周波数によって形成され、これらは、異なるセルで通信を分けるために使用される。ＷＣＤＭ（ワイドバンド符号分割多元アクセス）システムでは、リソースは、制限数の異なる符号によって特徴付けられている。無線リソースの数が制限されることは、ネットワーク１０を慎重に計画することが重要であることを意味する。伝統的なポジション決めは、異なる基地局２Ａ−Ｊからの専用の制御信号８に依存しなければならず、これは、移動端末と基地局間の無線状態を測定するために意図されているものである。
【００１８】
移動端末６のユーザが、サービスプロバイダからのポジション依存サービスを利用したいとする。このようなシステムは、図２で示される。移動端末６は、基地局アンテナ３を介して、無線信号８によって基地局２（ＢＳ）に接続されている。基地局２は、典型的には、ノード１２、ＧＳＭでは、基地局コントローラ（ＢＳＣ）から制御される。一方で、ＢＳＣは、コアネットワーク１４に接続されている。コアネットワーク１４は、典型的には、ポジション決めノード１６を備えていて、これは、移動端末６のポジションの判定を担当する。
【００１９】
移動端末６は、ＢＳ２、コアネットワーク１４及び典型的にはゲートウェイ２０も介して、サービスプロバイダ３０に接続されている。サービスプロバイダ３０からのポジション依存サービスを達成することを可能にするために、移動端末６の実際のポジションは、サービスプロバイダ３０へ提供されなければならない。
【００２０】
図３は、移動端末に関する適切なポジション情報をサービスプロバイダへ提供する、典型的な従来の信号送受信（シグナリング）の概念を示している。サービスリクエストは、データパケットして、移動端末からサービスプロバイダへ送信される。サービスプロバイダは、その送信元の移動端末を、自身のサービスへのアクセスを有する端末として認識するが、その移動端末のポジションを必要とする。このようなポジションのリクエストは、その移動端末へ返信される。
【００２１】
移動端末は、ポジションのリクエストをコアネットワーク内のポジション決めノードへ転送する。このポジション決めノードは、そのようなポジション決めを行う準備を行う。ＢＣＣＨ信号が、異なる基地局からブロードキャストされ、移動端末で測定される。これらの測定値の集合が測定レポートにまとめられ、それはポジション決めノードへ送信される。ポジション決めノードは、移動端末からの測定情報を使用して、移動端末のポジションを判定し、そのポジションを移動端末へ返信する。この信号送受信（シグナリング）は、通信ネットワーク内で、時間がかかり、リソースを消費することになる制御信号の送受信をもたらすことになる。
【００２２】
移動端末がポジションを受信する場合、このポジションは、データパケットでサービスプロバイダへ転送され、サービスプロバイダは、この情報を利用して、適切なサービスを移動端末へ提供する。
【００２３】
この例によれば、ポジション依存サービスを提供するために必要とされる信号送受信が相当あることが容易に理解される。
【００２４】
多くのセルラーシステムでは、セル内のすべての端末にメッセージをブロードキャストすることができる。このメッセージは、現存の近隣リストの最上位にある基地局によって送信されるメッセージである。このメッセージは、典型的には、ある基地局を調整するために端末によって使用される制御信号と、同様な方法でブロードキャストされる。但し、このブロードキャスト信号は、メッセージ、典型的には、セル内のすべての端末で受信することができるテキストメッセージを送信する。換言すれば、特定セル（あるいは、いくつかのセルが同一メッセージを送信する場合は、そのいくつかのセル）に対して局所的な情報を、そのセル内の端末すべてに送信することができる。
【００２５】
ＧＳＭでは、セルブロードキャストメッセージに対するチャネルは、ショートメッセージサービスセルブロードキャスト（ＳＭＳＣＢ）と呼ばれる。このチャネルでブロードキャストされるメッセージは、セル内に存在するハンドセットによって受信され、かつデコードされ、更に、ＳＭＳＣＢメッセージをデコードするために設定される。
【００２６】
ＳＭＳＣＢメッセージは、４つの２２オクテットブロックに分割された８８オクテットで構成される。このメッセージヘッダは、メッセージが新規のものであるか否かの信号を生成するために使用される６オクテット数で構成される。この数が、既にデコードされているメセージの数と同一である場合、そのメッセージは同一のメッセージであるので、端末はそのメッセージを再度デコードしない。この数が新規のものである場合、そのメッセージは新規のメッセージであるので、端末はそれをデコードする。
【００２７】
この特徴は、このブロードキャストチャネルを使用して、ロケーションベースサービスを構築する可能性を提供する。典型的には、これは、局所的な天気情報あるいはトラフィック情報とすることができる。最も簡単な例は、単に、局所的な情報を、このチャネル上でブロードキャストされるテキストメッセージとして送信する。但し、このことは、機会がかなり制限されている。それは、あるセルの移動端末のすべてが同一のサービスを受信するからである。各個人の移動端末に適合されている、より高度なサービスは、ブロードキャスト情報がサービス自身ではなく、むしろ別のサービスによって使用される情報である場合に提供することができる。この例の１つには、単に、セルの中心ポジション（基地局）と、おそらくはセルのおおよその範囲にブロードキャストすることとすることができる。これは、セル内のすべてのユーザが、それらが位置しているエリアの指示を取得することを意味することになる。そして、この情報は、他のサービス、例えば、地図等で使用することができる。
【００２８】
しかしながら、セル中心のポジションを無制限にブロードキャストすることは、サービスプロバイダがこれをポジション入力として使用し、かつそれを使用してロケーションベースサービスを構築することが可能性があることを意味する。このポジション決め情報は、基本的には、セルラー通信システムオペレータによって提供される情報であるが、この方法では、オペレータは、ポジションを提供するサービスに対して何らかの方法で課金を行う可能性がなくなる。
【００２９】
本発明の実施形態の基本原理は、１つのセルあるいはいくつかのセル（必要とされる精度に依存する）に固有メッセージをブロードキャストすることである。セル（あるいはセル群の１つ）に存在する端末のすべてが、このブロードキャストメッセージを受信する。移動体のポジションを判定するために、このメッセージ、あるいはそれに依存するメッセージが、このメッセージと、そのメッセージを発信する基地局の既知のポジションとを照合することによって、ネットワーク内のポジション判定を行うために再使用される。特定の実施形態では、ブロードキャストメッセージは、間欠的に変化する。これは、メッセージとポジションとの照合（マッチング）が更新され、かつメッセージブロードキャストと同期しなければならないことを意味する。このような照合のためにデータベースが使用される場合、このデータベースは、ブロードキャストメッセージと同一の方法で変更しなければならない。この基本概念は、単純かつ高速な処理で、ロケーションベースサービスに対してセルブロードキャストメッセージを使用することである。
【００３０】
ポジション決めの精度は、メッセージを受信することができる、セルサイズ、セクタサイズあるいはエリアのサイズに等しい。典型的には、このことは、最高の精度が、セルＩＤ（ＣＧＩ、ＣＯＯ）方法の精度に等しくなることを意味する。上述のように、いくつかの基地局、即ち、基地局のセットが、同一のメッセージをブロードキャストすることができ、かつ識別可能なエリアがセルエリアを組み合わせたものに等しくなる。但し、典型的な場合には、各基地局は、自身の所有の「セット」を構築し、かつその精度は、セルエリアに等しくなる。以下の実施形態では、各基地局は、各時にブロードキャストするための自身の所有の固有のテキストメセージを有していると想定する。但し、当業者であれば、対応するソリューションが、２つ以上の基地局を備える基地局のセットでも可能であることを理解するであろう。
【００３１】
図４は、本発明に従うポジション／ロケーションベースサービスネットワークのアーキテクチャの一実施形態を示している。図２で説明したものと実質的に同一のものは、再度説明しない。ＢＳＣ１２は、テキストメッセージユニット１３を備え、これは、適切なテキストメッセージを基地局２に提供することができる。この特定の実施形態では、テキストメッセージユニット１３はデータベース１１に接続されていて、ここには、いくつかの取り得るテキストメッセージが、現在する有効なテキストメッセージを検出するために必要な他のデータとともに記憶されている。適切なテキストメッセージを提供するための別の実施形態についての詳細は、以下で説明する。
【００３２】
基地局２のアンテナ３、あるいはメッセージを送信することができる他の送信機は、使用するために提供されているブロードキャストメッセージを送信する。ブロードキャストメッセージを送信する送信機３は、基地局、リピータあるいは他の構成要素に接続されていても良く、更には、受信機端末６に対してデコード可能なブロードキャストメッセージを送信する機能を有する移動体システムに接続されていてもいなくても良い。
【００３３】
移動端末６は、ブロードキャストテキストメセージを受信し、また、これを他の情報を取得するための引数として使用する。このテキストメッセージはオリジナルの形式で使用することができ、あるいは後述する別の方法で処理することができ、これにより、オリジナルのテキストメッセージに依存するデータの別の値を与える。以下での本開示を簡単にするために、本実施形態では、「処理された」テキストメッセージは、受信したものと等しいとする。
【００３４】
上述のように、ポジション依存サービスのサービスプロバイダ３０は、ゲートウェイ２０を介してセルラー通信システムのコアネットワーク１４に接続されている。本実施形態では、ゲートウェイ２０は、あるポジションから送信されるテキストあるいは他のデータ値と、そのポジションとを関連付けるための解釈ノード２３を備えている。本実施形態では、解釈ノード２３は、データベース２１に接続されている。データベース２１は、ＢＳＣデータベース１１に対して少なくとも間欠的に更新される情報を記憶している。このデータベース２１は、ルックアップデータベースとして構成されていることが好ましい。
【００３５】
移動端末６がサービスプロバイダ３０からのサービスを利用したい場合、サービスリクエストが送信されなければならない。本実施形態では、サービスリクエストと受信したテキストメッセージを備えるデータ値がゲートウェイ２０へ送信される。このゲートウェイでは、解釈ノード２３はテキストメッセージを、例えば、データベース２１によってサポートされている、現在使用されている既知のテキストメセージとの比較のための入力として使用する。一致が検出される場合、このサービスリクエストはサービスプロバイダのアプリケーションサーバ２３へ転送される。但し、ここでは、移動端末６のポジション判定結果で提供される。不一致が検出される場合、エラーメッセージが移動端末に返信され得る。
【００３６】
この方法は、アプリケーション及びサービスで使用される方法を与えて、簡略化な信号送受信（シグナリング）処理を用いながら、セルＩＤ（ＣＧＩ、ＣＯＯ）のポジション決め原理を使用するアプリケーション／サービスを構築する。これは、セルＩＤを使用し、かつ標準セルブロードキャスト機能を再使用するアプリケーションを実現可能にする方法を与える。また、このソリューションは、端末によって受信される、例えば、ＳＭＳＣＢメッセージへアクセスすることができるアプリケーションによって、従来からのハンドセットで使用することができる。このアプリケーションは、例えば、Ｊａｖａ（登録商標）あるいはシンビアンアプリケーションとすることができる。また、本ソリューションは、ポジション決めイネーブラを管理するようにオペレータに依然として開放しているが、ＳＭＳＣＢとユーザプレーンシグナリング／トラフィック（例えば、ＧＰＲＳあるいはＵＭＴＳを介するＩＰ、ｈｔｔｐ、ＷＡＰ等）を使用する。これは、オペレータが、実際のポジションを提供するサービスに対して課金を行うことができることを意味する。
【００３７】
図５は本発明に従う方法の実施形態の主要なステップを示している。この処理は、ステップ２００で開始する。ステップ２１０で、解釈ノードに、テキストメッセージを導出することを可能にする情報あるいはキーとそれに関連付けられているポジションが、解釈ノードに提供される。ステップ２１２で、テキストメッセージが生成され、少なくとも１つの基地局のセットからブロードキャストされる。ステップ２１４で、このテキストメッセージは移動端末で検出される。ステップ２１６で、サービスリクエストを備えるデータパケットが生成され、そして、検出されたテキストメッセージあるいはそれに依存するテキストメッセージがデータパケットに含められる。ステップ２１８で、このデータパケットが解釈ノードへ送信される。解釈ノードでは、ステップ２２０で、データパケットのテキストメセージが、基地局ポジション、即ち、オリジナルテキストメッセージがブロードキャストされたポジションと関連付けられる。ステップ２２２で、この関連付けられたポジションとともにサービスリクエストがサービスプロバイダへ提供され、ステップ２２４で、サービスプロバイダは、関連付けられたポジションに基づくポジション依存サービスを提供することができる。ステップ２９９で、この処理が終了する。
【００３８】
この方法は、図６の信号送受信（シグナリング）図としても説明することができる。テキストメッセージ導出するためのキーと、それとのポジションとの関連付けが、ＢＳＣと解釈ノード間で共有される。ＢＣＣＨシグナリングが、ＧＳＭ規格に従って実行される。これには、共有されているキーに従うテキストメッセージを含んでいる。移動端末は、テキストメッセージを検出し、このテキストあるいはそれに依存するテキストをデータパケットに含める、これは、ユーザプレーン上で解釈ノードに送信される。解釈ノードは、データパケットのテキストとポジションとを関連付けて、そのデータパケットをポジションとともにサービスプロバイダへ転送する。そして、サービスプロバイダは、サービス、例えば、ポジション依存情報を備える返信データパケットを移動端末へ提供する。
【００３９】
サービスをリクエストする実際の方法は、ある１つの方法と別の方法とを異ならせることができる。例として、１つの方法は、まず、ｕｒｌ（ユニフォームリソースロケータ）アドレスを生成することができる。これには、サービスプロバイダへのゲートウェイと、ブロードキャストメセージ（あるいはそれらの処理された形式）のテキストの識別情報を含んでいる。移動端末６のアプリケーション９（図４）は、次に、ｕｒｌの「ｇｅｔ」コマンドを実行する（あるいはロードする）。これは、典型的には、移動端末６上で動作するブラウザあるいはソフトウェアで実行される。ゲートウェイは、テキストメッセージとポジション間の関連付けの知識によってｕｒｌを解釈して、ｕｒｌを変更する。これには、サービスプロバイダへのアドレスとともに、関連付けられているポジションとを備えている。
【００４０】
例として、移動端末は、ユーザローカル情報を表示するプログラム、例えば、Ｊａｖａ（登録商標）プログラムを実行する。コンテンツを備えるアプリケーションサーバはインターネット上に配置されている。このプログラムは、セル内でブロードキャストされるメッセメッセージに基づいてｕｒｌを生成し、トランスポート用のｈｔｔｐを使用する。このｕｒｌは、以下のようにまとめることができる。
【００４１】
http://operatorsgateway.applicationserver.com/broadcastmessage
ゲートウェイでは、このｕｒｌは、次のように解釈される。
【００４２】
http://www/applicationserver.com/cellid
これは、適切な情報を移動端末へ返信することになる。
【００４３】
ゲートウェイは、解釈ノードを介して制御を行うので、移動端末のポジションを提供するサービスのためのユーザあるいはサービスプロバイダを変更することができる。
【００４４】
上述のように、照合（マッチング）用のデータベースは、オペレータのネットワークに配置されていても良い。しかしながら、サービスプロバイダ自身が、照合用のデータベースを提供することも可能である。照合用のデータベースがサービスプロバイダに配置されている場合、サービスプロバイダは、ネットワークオペレータとの協定を締結しなければならず、また、ブロードキャストメッセージがどのようにしてオペレータによって変更されるかについての情報を取得しなければならない。
【００４５】
図７は、このような状況を示している。ここで、ゲートウェイ２０は、別のネットワーク、例えば、インターネットへのゲートウェイであり、これには、サービスプロバイダ３０が接続されている。サービスプロバイダ３０は、本実施形態では、解釈ノード２３とデータベース２１を備えている。このデータベースは、２５で、ＢＳＣ内のデータベースに対応して、更新される。
【００４６】
テキストメッセージを依然として備えるサービスプロバイダにデータパケットが到達する以外は、この処理はほぼ同一である。サービスプロバイダ３０に属する解釈ノード２３は、ポジションとの関連付けを実行する。
【００４７】
本実施形態では、通信ネットワークオペレータは、上記の方法で行われるポジション決め判定の数を越える全体制御を失っている。しかしながら、一方で、通信ネットワークオペレータとサービスプロバイダ間の協定が存在していて、これは、典型的には、経済的な協定であっても良い。
【００４８】
上述のように、同一のテキストメッセージが、より長い時間に渡ってセル内でブロードキャストされる場合、未認可パーティが、これらのテキストメッセージをマッピングし、かつそれらが所有するテキストメッセージデータベースを生成することが可能になってしまう。継続的にあるいは少なくとも間欠的に、セル内のブロードキャストテキストメッセージを変更することで、このようなマッピングを行う可能性は低くなる。このような場合、解釈ノードは、テキストメッセージを生成するノードとかなり正確に同期しなければならず、そうすることで、ブロードキャストテキストメッセージにおける変更は、解釈ノードの関連付け情報の変更に対応することになる。
【００４９】
ブロードキャストテキストメッセージは、例えば、１５分毎に各セルで変更することができ、これは、同じものが存在することが１５分を越えることはないことを意味する。このメッセージがゲートウェイと同期しているので、解釈ノードは、常に、受信したメッセージを同一ポジション（ロケーション）と解釈する。
【００５０】
絶対的な同期を得ることが難しい場合、新規のテキストメッセージの導入後のある時間は、「古い」テキストメッセージを有効にするような方法で解釈ノードを構成することもできる。同様に、「新規の」テキストメセージは、使用が開始されようとする少し前に、解釈ノードにおいて許可されても良い。テキストメッセージの関連付けを提供するためのキーは、各テキストメッセージに対する有効時間を備えていても良い。システム時間は、テキストメッセージに加えて、移動端末によるデータ値で提供されても良く、これは、テキストメッセージ検出のタイムスタンプを与えることになる。
【００５１】
図８は本発明に従う別の実施形態のフロー図を示していて、ここでは、テキストメッセージとタイムスタンプの変更が使用される。
【００５２】
ステップ２００で、処理が開始する。ステップ２１０で、解釈ノードにテキストメッセージと導出させることを可能にする情報あるいはキー、それに関連付けられているポジションとが、解釈ノードに提供される。この情報は、異なるテキストメッセージに対する有効期限も含んでいる。ステップ２１１で、提示されるルールに従ってテキストメッセージが生成され、基地局からブロードキャストされる。即ち、テキストメセージは、ブロードキャストの時間に依存している。ステップ２１４で、テキストメッセージが移動端末で検出される。ステップ２１５で、サービスリクエストを備えるデータパケットが生成され、検出されたテキストメッセージとその検出時間の指示がデータパケットに含められる。ステップ２１８で、データパケットが解釈ノードに送信される。解釈ノードにおいて、ステップ２２０で、データパケットのテキストメッセージが基地局ポジションと関連づけられる。即ち、このポジションは、オリジナルのテキストメッセージがブロードキャストされたポジションである。本実施形態では、この関連付けは、検出時間も考慮する。ステップ２２２で、サービスリクエストとともに関連付けられているポジションはサービスプロバイダに提供され、ステップ２２４で、サービスプロバイダは、関連付けられているポジションに基づいて、ポジション依存サービスを提供することができる。ステップ２９９で、この処理を終了する。
【００５３】
テキストメッセージの提供は、様々な方法で実現することができる。図９Ａは、本発明の一構成に従う基地局コントローラ１２の実施形態を示している。この基地局コントローラ１２は、通信ネットワークノードの一例であり、これには、テキストメッセージを提供する機能が備えられている。当業者は、対応する機能が別の場所でも提供でき、かつテキストメッセージが、ブロードキャスト目的のために基地局へ送信されることを理解するであろう。
【００５４】
図９Ａの実施形態の基地局コントローラは、テキストメッセージユニット１３と、解釈ノードと通信し、かつ生成されたテキストメッセージをブロードキャストメッセージとして提供する手段１６を備える。ここで、テキスト生成機能全体は、テキストメッセージユニット１３に搭載されていて、ここで、最初からテキストメッセージを生成する。
【００５５】
別の実施形態を図９Ｂに示す。ここで、テキストメッセージユニット１３は、データベース１１によってサポートされる。データベース１１は、ＢＳＣによって制御される基地局のリストと、ブロードキャスト対象として可能なテキストのリストを備えている。テキストメッセージユニット１３は、基地局のリストからテキストのリストへのポインタを制御して、これらの間の関連付けを生成する。図９Ｂに示される例では、基地局ＡＡＡは、テキストメッセージＫＤＦＭＳに関連付けられていて、基地局ＢＢＢはテキストメッセージＬＹＢＫＳ等に関連付けられている。この関連付けは、上述のように、時間依存にすることができる。即ち、ポインタは間欠的に変更される。
【００５６】
テキストメッセージは、サイン、文字及び図のランダムな組み合わせであっても良く、あるいはテキストメッセージは、他の目的のためにも同時に使用することができる読取可能な単語として選択することができる。このテキストメッセージは、例えば、様々な形式の挨拶文、例えば、「ようこそ」、「よい一日を」、「オペレータの使用を感謝します」等にすることができる。
【００５７】
このテキストメッセージは、異なるセクションによって構成することもできる。ここで、異なるセクションは、異なるタイプのサービスあるいは異なるポジション分解能に向けたものにすることができる。一実施形態では、テキストメッセージは、階層的な方法で構築することができ、そうすることで、より大きなエリア内で各メッセージが、同一エリア、即ち、ある状態のエリアあるいはオペレータ通信エリアで使用される他のメッセージのすべて同一となるセクションを有することになる。このメッセージは、各セル分解能に到達するまで、より小さいサブエリアでより小さいサイズを示す他のセクションを構成することもできる。例として、ＮＥＧＪで始まるテキストメッセージは、メッセージがヨーロッパのいずれかの場所にブロードキャストされていること（ある時間期間に対して）を示すことができる。更にメッセージがＮＥＧＪＫＤＹＴで始まる場合、このメッセージはスウェーデンでブロードキャストされていることを意味し、ＮＥＧＪＫＤＹＴＲＲＴＥはストックホルム周辺の地域を示し、ＮＥＧＪＫＤＹＴＲＲＴＥＫＲＯＤは、特定の１つのセルを定義する。移動端末が存在しているという状態に依存するだけのサービスは、単に、メッセージの最初の８文字に基づいていて、メッセージの残りの部分は無視する。
【００５８】
このような階層構造は、時間ドメインで実現することもできる。これは、ある時間に互いに相対的に近いブロードキャストされているブロードキャストメッセージが、共通のあるセクションを持つことができ、一方、他のセクションは異なっているということを意味する。例としては、第１時間期間では、メッセージは、ＫＵＨＴＬＤＨＦＰＩＹＢの文字の組み合わせで終了し、次の時間期間では、ＪＹＴＥＬＤＨＦＰＩＹＢで終了することができるが、最初の期間から十分に離れている時間期間では、ＵＹＮＴＯＳＤＪＮＰＥＬで終了することができる。このような方法では、長い有効時間期間で動作するサービスは、例えば、最後の４あるいは８文字の使用を行うことだけにすることができ、頻繁な変更を必要とするサービスは、すべての文字を考慮に入れる。
【００５９】
テキストメッセージは、異なるサービスを異なるセクションのテキストメッセージによってサポートされるように構築することもできる。例としては、地図提供サービスは、最初の２４文字を使用して、友人検索アプリケーションは、テキストメッセージ内の２５−６４文字目を使用する。
【００６０】
テキストと基地局ロケーションとの関連付けに対応する知識は、解釈ノードで提供されなければならない。図１０Ａは、解釈ノード２３を備えるサービスプロバイダ３０の一実施形態を示している。（上述のように、解釈ノード２３は、システム内のいずれかの場所に存在することができる。）本実施形態では、サービスプロバイダ３０は、テキストメッセージを含むデータパケットを受信するための通信ユニット２６も備えている。本実施形態では、通信ユニット２６は、テキストとポジションとの関連付けについての更新情報を収集し、かつ通信ネットワーク内のテキスト生成手段に解釈ノードを十分に同期させることを維持することも担当する。本実施形態では、サービスプロバイダ３０は、データベース２１を備え、ここには、関連付けデータが記憶される。解釈ノード２３は、データパケットからテキストメッセージを抽出し、そのテキストが、データベース２１内のエントリに対応するかどうかをチェックする。本実施形態では、このデータベースは、各テキストに対する有効時間も備えている。対応が存在し、かつ現在の時間あるいは検出時間（提供される場合）が有効時間内である場合、対応する基地局のポジションとの関連付けを行うことができる。Ｔ１とＴ２との間の時間に到来するＬＹＢＫＳのテキストメッセージは、ポジション（ａ１、ａ２）、即ち、基地局ＡＡＡのポジションとの関連付けを与える。しかしながら、テキスト「ＬＹＢＫＳ」がＴ２とＴ３との間に到来している場合、ポジション（ｂ１、ｂ２）との関連付けの結果、即ち、基地局ＢＢＢのポジションが得られることになる。
【００６１】
サービスプロバイダが、他の基地局コントローラによってカバーされる場所で、移動局へサービスすることを意図されている場合、これらの基地局コントローラから対応するデータが提供されなければならない。通信範囲が大きく、かつテキストの変更の間隔が短い場合、記憶するために必要なデータ量はかなり大きくなる場合がある。別の実施形態が、図１０Ｂに示される。
【００６２】
ここで、データベースは、基地局ポジションのリストと、取り得るテキストメッセージのリストとを備えている。矢印あるいはポインタで示される関連付けは、現在の時間に依存するあるアルゴリズムに従って提供される。このようなアルゴリズムは、解釈ノード２３にロードされ、これは、データベースの異なるリスト間での関連付けを制御する。このことは、かなり大規模なデータベースの必要性と、頻繁な更新の必要性を低減する。
【００６３】
解釈ノードの更なる別の実施形態には、テキストメッセージの入力と現在の時間に基づくポジションを直接処理するアルゴリズムを備えてるプロセッサがある。
【００６４】
使用可能な情報を得るための通信システム内の情報の盗聴の可能性を低減するために、データパケット内のサービスリクエストとともに送信されるテキストメッセージは、ブロードキャストテキストメッセージと必ずしも同一としなくても良い。データパケットに備わるテキストメセージは、いくつかの暗号化を与える１つ以上の方法で処理することができる。単純な場合では、テキストメッセージのある位置に、拡張文字を提供することができる。あるいはサービスリクエストに含まれているテキストメッセージを、ブロードキャストメッセージの一部として選択することができる。より複雑な実施形態では、完全な暗号化を行うことができる。暗号化キーは、解釈ノードのオペレータによって提供されなければならない。暗号化キーは、例えば、ユーザがサービスあるいは加入に対する支払を行う場合に送信される。この暗号化キーはＳＩＭ依存であっても良く、そうすることで、別のユーザにそのキーが転送されないようにすることができる。簡単なソリューションの例は、
ＫｅｙＴｏＵｓｅ＝ＳｅｎｔＫｅｙ＊ｆ（ＰｈｏｎｅＮｕｍｂｅｒ）
がある。
【００６５】
これは、移動端末からサービスプロバイダへ送信されるデータの認証も与える。このキーは局所的であっても良く、そうすることで、特定のセルあるいはエリアだけで使用能可能となる。
【００６６】
もちろん、解釈ノードは、このような場合には、対応する暗号解読機能を持っている。１つの構成では、解釈ノードは、受信したテキストメッセージを解読して、オリジナルのテキストメッセージを取得する。もう１つの構成では、対応する方法で取り得るテキストメッセージを暗号化し、その暗号化したものと比較することである。
【００６７】
ブロードキャストメッセージに基づく、いくつかの同様の方法を実現可能である。第１実施形態では、あるサービスを達成するために必要なアプリケーションをサービスプロバイダから注文することができる。そのアプリケーションが移動端末に提供される場合、アプリケーションを使用することが可能となる空間的エリア及び時間の少なくとも一方を定義するテキストメッセージ（あるいはその一部）を備えるデータベースを付随させることができる。このアプリケーションを開始するためには、ブロードキャストメッセージが記録され、かつ「パスワード」として使用して、そのアプリケーションを実行しなければならない。移動端末が許可されたエリアの外に移動する場合、あるいは有効時間が満了している場合、テキストメッセージは、アプリケーションの開始を行えなくなる。このようなブロードキャストメッセージの使用はシグナリングも削減することになる。これは、必要な認可チェックが既に移動端末で実行されているからである。
【００６８】
第２実施形態では、ブロードキャストメッセージを、ダウンリンクデータの保護のために使用することができる。例えば、音声あるいはビデオデータが移動端末にダウンロードされる場合、それを実行するための認可は、あるエリア及びある時間期間の少なくとも一方に関係させることができる。復号キーは、サービスの支払あるいは注文に関連してダウンロードすることができる。この暗号解読キーは、許可されているブロードキャストメッセージと、それを使用することができる時間を識別するデータを含んでいる。実際の音声あるいはビデオデータのダウンロードを開始する場合、このデータは、その時点で使用されるブロードキャストメッセージに基づいて符号化される。受信側の移動端末は、同一のブロードキャストメッセージへのアクセスを持っていて、そのデータを復号することができる。ブロードキャストメッセージがダウンロード処理中に変更する場合、両方のパーティは、これについて認識し、かつデータを継続的に復号することができる。しかしながら、認可時間が満了する場合、あるいは移動端末が認可エリアを離れる場合、それ以上は復号が成功することはない。
【００６９】
ブロードキャストメッセージが時間かつロケーション依存であることの共通の知識は、いくつかの異なる方法に対して開放することで、制御シグナリングを最小限にする。
【００７０】
本発明の要約として、換言すれば、第１テキストメッセージが移動端末へブロードキャストされる。第２テキストメッセージが、サービスリクエストを含むデータパケットに含められる。第２テキストメッセージは、第１テキストメッセージに依存していて、単純な実施形態では、これは、第１テキストメッセージと同一であっても良い。
【００７１】
本発明では、ブロードキャストされるテキストメッセージは、典型的には、移動端末がアイドルモードである場合にも検出することができるタイプのものである。これは、データパケットの検出及び準備を、基地局とのアクティブな接続を開始しなくても実行できることを意味する。
【００７２】
上述の実施形態は、本発明のいくつかの例示のものとして理解されるべきである。当業者には、本発明の範囲を逸脱しないで、実施形態に対して、様々な変形、組み合わせ及び変更を行うことができることが理解されるであろう。特に、異なる実施形態の異なる部分のソリューションは、技術的に可能な他の構成と組み合わせることができる。但し、本発明の範囲は、添付の請求項によって定義される。
【図面の簡単な説明】
【００７３】
【図１】セルラー通信ネットワークのブロック図である。
【図２】ポジション依存サービスに対するアーキテクチャのブロック図である。
【図３】ポジション依存サービスを達成する従来技術に従うシグナリングを示す図である。
【図４】本発明に従うポジション依存サービスに対するアーキテクチャの実施形態のブロック図である。
【図５】本発明に従う方法の実施形態の主要なステップのフロー図である。
【図６】ポジション依存サービスを達成する本発明の一実施形態に従うシグナリングを示す図である。
【図７】本発明に従うポジション依存サービスに対するアーキテクチャの別の実施形態のブロック図である。
【図８】本発明に従う方法の別の実施形態の主要なステップのフロー図である。
【図９Ａ】本発明に従う通信ネットワークノードの実施形態のブロック図である。
【図９Ｂ】本発明に従う通信ネットワークノードの別の実施形態のブロック図である。
【図１０Ａ】本発明に従う解釈ノードを備えるノードの実施形態のブロック図である。
【図１０Ｂ】本発明に従う解釈ノードを備えるノードの別の実施形態のブロック図である。
【図１】
2008514109.tif 000003
【図２】
2008514109.tif 000004
【図３】
2008514109.tif 000005
【図４】
2008514109.tif 000006
【図５】
2008514109.tif 000007
【図６】
2008514109.tif 000008
【図７】
2008514109.tif 000009
【図８】
2008514109.tif 000010
【図９Ａ】
2008514109.tif 000011
【図９Ｂ】
2008514109.tif 000012
【図１０Ａ】
2008514109.tif 000013
【図１０Ｂ】
2008514109.tif 000014
【国際調査報告】
2008514109.tif 000015
2008514109.tif 000016